(57)【特許請求の範囲】
【請求項１】
人が着用可能な衣服本体と人形とを備え、上記の人形に着せることができる人形用衣服が衣服本体に設けられ、この人形用衣服を人形に着せることによって人形を衣服本体に取り付けることができ、この人形用衣服を人形から脱がすことによって人形を衣服本体から取り外すことができるようにした人形付き衣服。
【請求項２】
人が手に持って移動できる身の回り品と人形とを備え、身の回り品はバッグ、帽子、靴、マフラーとからなる群から選択された一種であり、上記の人形に着せることができる人形用衣服が身の回り品に設けられ、この人形用衣服を人形に着せることによって人形を身の回り品に取り付けることができ、この人形用衣服を人形から脱がすことによって人形を身の回り品から取り外すことができるようにした人形付き身の回り品。
【請求項３】
人が着用可能な衣服本体とバッグと人形とから構成され、上記の人形に着せることができる人形用衣服が衣服本体とバッグとの双方に設けられ、この人形用衣服を人形に着せることによって人形を衣服本体若しくはバッグに取り付けることができ、この人形用衣服を人形から脱がすことによって人形を衣服本体若しくはバッグから取り外すことができるようにした人形付き衣服とバッグ。
【発明の詳細な説明】
【０００１】
【発明の属する技術分野】
本願発明は、衣服、特に、幼児等の年少者が好んで着用することができるようにした衣服の改良に関する。
【０００２】
【従来の技術】
従来より衣服の装飾には、種々のデザインのものが提案されており、実開昭５９−２１６２１号公報に係る考案にあっては、動物のぬいぐるみ人形をシャツの表面に留め具で着脱自在に取り付けることが提案されている。
ところが、この考案にあっては、衣服のデザイン面のみが考慮され、衣服を着ることの大切さや楽しさを子供に教えたり、衣服を着用することによって人の外観が如何に変化するかといったことを楽しく体験させつつ身をもって教えるといった教育的効果については、何ら配慮されていない。
特に、年少者にあっては、衣服を着用すること自体に抵抗感を感じたり、面倒くさがったりすることがあるが、このような場合にも、無理やり衣服を着せるのではなく、自然に楽しく衣服を着るようする環境を整えることが重要である。
また、人形は、単なる遊び道具に止まらず、子供にとってかけがえのない友となる場合がある。このような場合、子供は、外出する時にも、その人形を連れて行きたいという気持ちが強い。ところが、外出時に人形を持ち出すと、どこかで忘れてしまって、なくしてしまうことも多い。また、出かける先によっては、人形を持って行くのに適切でない場合もある。このような時、親は人形をもって外出することに反対し、子供は人形と一緒でなければ外出しないと駄々をこね、外出時間に遅れてしまうこともあり得る。
【０００３】
【発明が解決しようとする課題】
そこで、本願発明は、上記の事情に鑑み、衣服のデザインの多様性を向上させることができると共に、衣服を着ることの大切さや楽しさを年少者に教えるという教育的効果を有効に発揮でき、年少者が積極的に着用したくなる環境を整えることができる衣服を提供せんとするものである。
また本願発明は、上記の事情に鑑み、身の回り品のデザインの多様性を向上させることができると共に、人形を連れて外出しやすくし、人形を忘れ物にしてしまう恐れを減少させることかできる身の回り品を提供せんとするものである。
さらに本願発明は、人形を衣服にも付けることができ、バッグにも付けることができるようにして、人形を中心に、衣服とバッグとに一体感を与え、また、着せ代え人形のようにして遊んだり、デザインの変化を楽しむことができる人形とバッグを提供せんとするものである。
【０００４】
【課題を解決するための手段】
本願の第１の発明は、人が着用可能な衣服本体と人形とを備え、上記の人形に着せることができる人形用衣服が衣服本体に設けられ、この人形用衣服を人形に着せることによって人形を衣服本体に取り付けることができ、この人形用衣服を人形から脱がすことによって人形を衣服本体から取り外すことができるようにした人形付き衣服を提供することによって、上記の課題を解決する。
本願の第２の発明は、人が手に持って移動できる身の回り品と人形とを備え、身の回り品はバッグ、帽子、靴、マフラーとからなる群から選択された一種であり、上記の人形に着せることができる人形用衣服が身の回り品に設けられ、この人形用衣服を人形に着せることによって人形を身の回り品に取り付けることができ、この人形用衣服を人形から脱がすことによって人形を身の回り品から取り外すことができるようにした人形付き身の回り品を提供することによって、上記の課題を解決する。
本願の第３の発明は、人が着用可能な衣服本体とバッグと人形とから構成され、上記の人形に着せることができる人形用衣服が衣服本体とバッグとの双方に設けられ、この人形用衣服を人形に着せることによって人形を衣服本体若しくはバッグに取り付けることができ、この人形用衣服を人形から脱がすことによって人形を衣服本体若しくはバッグから取り外すことができるようにした人形付き衣服とバッグを提供することによって、上記の課題を解決するものである。
【０００５】
【発明の実施の形態】
以下、図面に基づき本願発明の実施の形態を説明する。
図１は、本願発明の実施の形態に係る人形付き衣服の正面図である。この衣服は、幼児用のシャツで、衣服本体１の正面には、人形用衣服２が固定されている。この人形用衣服２は、人形３に着せることができる大きさをなしたシャツとして実施されている。より詳しくは、この人形用衣服２は、半袖の前開きのボタン止めのシャツで、後身頃が衣服本体１に縫製により固定されている。他方、人形３は、動物を擬人化した縫いぐるみ人形として実施されており、この人形３の腕３１を人形用衣服２の袖２１に通して、ボタン２２を止めることによって、人形に着用させれば、人形３は、人形用衣服２に固定され、人形３を衣服本体１に取り付けることができる。そして、この人形用衣服２を人形３から脱がすことによって人形３を衣服本体１から取り外すことができる。
【０００６】
人形用衣服２は、種々の形態で実施可能であり、例えば、図２のようにズボンとして実施してもよく、図３のようにファスナ２３によって開閉するオーバーとして実施することもでき、図４に示すように、オーバーオールとして実施することもできる。この人形用衣服２は、人形３に着せることによって人形３を固定できれはよく、図１や図３のようにボタン２２やファスナ２３によって開閉するものとしてもよいが、図２や図４のように開閉手段を持たないものとして実施することもできる。また、図では、上半身用の衣服あるいは下半身用の人形用衣服のみを一つの衣服本体１に取り付けたが、上半身用と下半身用との双方の人形用衣服を一つの衣服本体１に取り付けてもよい。これらの人形用衣服２は、縫製等によって衣服本体１に固定すればよいが、この固定手段は適宜変更可能であり、例えば、ボタン、ファスナ、ホック等によって、人形用衣服２を衣服本体１に着脱可能に固定してもよい。
【０００７】
人形３は、人形用衣服２を着せることができることを条件に種々変更して実施することができ、人間、動物、アメニーションのキャラクター等の種々のデザインとすることができ、また、その素材も、布を用いた縫いぐるみの他、合成樹脂製等の他の素材に変更して実施できる。
【０００８】
衣服本体１は、シャツ、ブラウス、コート等の上半身用の衣服の他、ズボンやスカート等の下半身用衣服としてもよい。また、一つの衣服本体１に２個以上の人形用衣服２を取り付けるようにしてもよい。さらに、図５に示すように、衣服本体１の他に、リュックサックや肩掛け鞄、手提げ鞄等の各種バッグ４として実施してもよい。さらに、鞄の他、帽子、靴、マフラーに、変更して実施することもできる。この身の回り品は、布製の他、革製、合成樹脂製、金属製等種々変更して実施できる。尚、図では、幼児用の衣服を図示したが、成人用の衣服においても同様に実施できる。
【０００９】
以上のように、人形を衣服に着せ変え可能に取り付けることによって、幼児等が衣服を着るのに面倒だと思ったりしても、人形用衣服を人形に着せ、自分（幼児）が着せた人形が着いている衣服を着ることによって、衣服を着ることの楽しみを自然と感じることができる。さらに、複数の衣服本体と複数の人形とを用意し、あるいは、バッグ等の身の回りと、衣服とを組み合わせ、人形に着せることができる人形用衣服をこれらに設け、各人形用衣服を各人形に着せることによって各人形を各衣服本体等に取り付けることができ、各人形用衣服を各人形から脱がすことによって各人形を各衣服本体等から取り外すことができようにすれば、人形と、衣服本体および身の回り品、との組み合わせを選択して、衣服を着せ変える楽しみがさらに広がるものである。しかも、人形には他の物より愛着が湧くため、この人形を着せることのできる衣服や身の回り品にも、愛着が湧き、衣服や身の回り品を大切にする習慣も付くようになる。
【００１０】
【発明の効果】
以上、本願の第１の発明は、衣服のデザインの多様性を向上させることができると共に、衣服を着ることの大切さや楽しさを年少者に教えるという教育的効果を有効に発揮でき、年少者が積極的に着用したくなる環境を整えることができる衣服を提供することができたものである。
本願の第２の発明は、身の回り品のデザインの多様性を向上させることができると共に、物を大切に扱うという教育的効果を有効に発揮でき、さらに、衣服との組み合わせによって楽しみが益々増える身の回り品を提供することができたものである。
本願の第３の発明は、人形を衣服にも付けることができ、バッグにも付けることができるようにして、人形を中心に、衣服とバッグとに一体感を与え、また、着せ代え人形のようにして遊んだり、デザインの変化を楽しむことができる人形とバッグを提供することができたものである。
また、本願の各発明は、愛着の湧いた人形と一緒に外出したいと言う子供の希望を叶えつつ、外出先で人形を紛失してしまうという恐れを減少させることができるという効果も発揮するものである。
【図面の簡単な説明】
【図１】  本願発明の実施の形態に係る衣服の正面図である。
【図２】  本願発明の他の実施の形態に係る衣服の正面図である。
【図３】  本願発明のさらに他の実施の形態に係る衣服の正面図である。
【図４】  本願発明のさらに他の実施の形態に係る衣服の正面図である。
【図５】  本願発明のさらに他の実施の形態に係る身の回り品の正面図である。
【符号の説明】
１  衣服本体
２  人形用衣服
３  人形
４  バッグ
【図１】
0003660608.tif 000002
【図２】
0003660608.tif 000003
【図３】
0003660608.tif 000004
【図４】
0003660608.tif 000005
【図５】
0003660608.tif 000006